(57)【要約】【課題】球が筐体と回転中の回転盤とに挟まれることのないようにする。【解決手段】高さＨ１乃至高さＨ３が球の直径Ｄの１／２未満乃至零以外の寸法に設定される（Ｈ１＞Ｄ／２、Ｈ２＞Ｄ／２、Ｈ３＞Ｄ／２）に構成されているので、回転盤２２が遊技盤の前面と交差する水平面内で矢印Ｘ１で示す方向に回転している最中において、球が通路出口２９から当たり球受部３４または外れ球受部３５に移動する場合に、球Ｐが筐体２１における左側の開口部２７と回転中の回転盤２２における当たり球受部３４または外れ球受部３５の周りの左側の部分とで挟まれるような格好になったとしても、回転盤２２で回転方向に押された球Ｐが筐体２１の開口部２７を上方に乗り上げるか、または、筐体２１の開口部２７で支えられた球Ｐが回転する回転盤２２の上に乗り上げることになり、球Ｐが筐体２１と回転盤２２とに挟まれることはない。【選択図】図１
2009028127.tif 000002
【特許請求の範囲】
【請求項１】
遊技盤に取り付けられる筐体には、上方に開口し上面から下方に窪む平面視円形な収容部と、収容部の周囲に設けられた誘導通路と、誘導通路から収容部の方向に球を誘導する通路出口、誘導通路と収容部とを仕切る通路壁の通路出口と対応する部分に設けられた開口部と、球を通路壁の一部から誘導通路の下部の方向に誘導する当たり領域と、球を収容部の底面の一部から下方に誘導する外れ領域とが設けられ、収容部には回転盤が遊技盤の前面と交差する水平面内で回転し得るように収容され、回転盤の周縁部には、回転盤の直径方向外側と上方とに開口しかつ回転盤の下方に閉じられて１個の球を受け取れるものの複数の球を同時に受け取れない有底形状の当たり球受部と、回転盤の直径方向外側と上下方向とに開口しかつ１個の球を受け取れるものの複数の球を同時に受け取れない貫通形状の外れ球受部とが設けられ、回転盤がモータによって水平面内で回転された場合、球を筐体の誘導通路から通路出口を経由して回転盤の当たり球受部または外れ球受部に振り分けられるようにしたパチンコ遊技機の回転振分装置において、通路出口の底面からの筐体における開口部の周りの通路壁の高さ、通路出口の底面からの回転盤における当たり球受部の周りの高さ、通路出口の底面からの回転盤における外れ球受部の周りの高さが、通路出口の底面からの球の直径の１／２未満乃至零以外の寸法に設定されたことを特徴とするパチンコ遊技機の回転振分装置。
【請求項２】
開口部の上部が斜面部として構成されたことを特徴とする請求項１記載のパチンコ遊技機の回転振分装置。
【発明の詳細な説明】
【技術分野】
【０００１】
本発明は、球が筐体と回転中の回転盤とに挟まれることのないパチンコ遊技機の回転振分装置に関する。
【背景技術】
【０００２】
図５は、特許文献１で開示されたパチンコ遊技機の回転振分装置１８を示す。図５のａ図において、回転盤２２が図外のモータによって遊技盤の前面と交差する水平面内で回転された状態において、パチンコ球と呼ばれる球Ｐが筐体２１の誘導通路２５から通路出口２９を経由して回転盤２２の当たり球受部３４または外れ球受部３５に振り分けられるようになっている。しかしながら、図５のｂ図に示すように、通路出口２９の底面からの回転盤２２における当たり球受部３４または外れ球受部３５の周りの高さＨ４や通路出口２９の底面からの筐体２１における開口部２７の周りの通路壁２６の高さＨ５が球の直径Ｄの１／２以上に構成されているので、回転盤２２が矢印Ｘ１で示す方向に回転している最中において、球が通路出口２９から当たり球受部３４または外れ球受部３５に移動する場合（図５のｂ図では球が図５のｂ図の紙面の表側から裏側へと移動する場合）に、球が筐体２１と回転盤２２とに挟まれるという球噛みを発生することがある。球が筐体２１と回転盤２２とに挟まれると、遊技者に不快感を与えるばかりでなく、モータに悪影響を及ぼすという欠点がある。
【特許文献１】特開２００６−１３０１２６公報
【発明の開示】
【発明が解決しようとする課題】
【０００３】
発明が解決しようとする問題点は、球が筐体と回転中の回転盤とに挟まれることがあるという点である。
【課題を解決するための手段】
【０００４】
本発明に係るパチンコ遊技機の回転振分装置は、遊技盤に取り付けられる筐体には、上方に開口し上面から下方に窪む平面視円形な収容部と、収容部の周囲に設けられた誘導通路と、誘導通路から収容部の方向に球を誘導する通路出口、誘導通路と収容部とを仕切る通路壁の通路出口と対応する部分に設けられた開口部と、球を通路壁の一部から誘導通路の下部の方向に誘導する当たり領域と、球を収容部の底面の一部から下方に誘導する外れ領域とが設けられ、収容部には回転盤が遊技盤の前面と交差する水平面内で回転し得るように収容され、回転盤の周縁部には、回転盤の直径方向外側と上方とに開口しかつ回転盤の下方に閉じられて１個の球を受け取れるものの複数の球を同時に受け取れない有底形状の当たり球受部と、回転盤の直径方向外側と上下方向とに開口しかつ１個の球を受け取れるものの複数の球を同時に受け取れない貫通形状の外れ球受部とが設けられ、回転盤がモータによって水平面内で回転された場合、球を筐体の誘導通路から通路出口を経由して回転盤の当たり球受部または外れ球受部に振り分けられるようにしたパチンコ遊技機の回転振分装置において、通路出口の底面からの筐体における開口部の周りの通路壁の高さ、通路出口の底面からの回転盤における当たり球受部の周りの高さ、通路出口の底面からの回転盤における外れ球受部の周りの高さが、通路出口の底面からの球の直径の１／２未満乃至零以外の寸法に設定されたことを最も主要な特徴とする。開口部の上部が斜面部として構成されてもよい。
【発明の効果】
【０００５】
本発明に係るパチンコ遊技機の回転振分装置は、回転盤が回転している最中において、球が通路出口から当たり球受部または外れ球受部に移動する場合に、球が筐体における開口部と回転中の回転盤における当たり球受部または外れ球受部の周りの部分とで挟まれるような格好になったとしても、回転盤における当たり球受部または外れ球受部の周りの部分で押された球が筐体における開口部を上方に乗り上げるか、または、筐体における開口部で支えられた球が回転する回転盤における当たり球受部または外れ球受部の周りの部分を上方に乗り上げるので、当該球が筐体と回転盤とに挟まれることはないという利点があり、遊技者に不快感を与えることはなく、モータに悪影響を及ぼすこともない。開口部の上部が斜面部として構成されれば、回転盤における球受部または外れ球受部の周りの部分で回転盤の回転方向に押された球が筐体における開口部を斜面部の方に乗り上げやすいという利点がある。
【発明を実施するための最良の形態】
【０００６】
図１のａ図は、回転振分装置１８を示す。図１のｂ図は、図１のａ図を矢印Ａ方向から見た正面を示す。図２は、回転振分装置１８を分解して示す。図３のａ図は、図１のａ図における筐体２１と回転盤２２を矢印Ａ方向から見た場合の高さＨ１乃至Ｈ３と球Ｐとの関係を示す。図３のｂ図は、回転盤２２の直径方向の断面から見た場合の筐体２１の通路出口２９と回転盤２２の当たり球受部３４の周りと球Ｐとの関係を示す。図３のｃ図は、回転盤２２の直径方向の断面から見た場合の筐体２１の通路出口２９と回転盤２２の外れ球受部３５の周りと球Ｐとの関係を示す。図４は、パチンコ遊技機を示す。本明細書において、「前」、「後」、「左」、「右」、「上」、「下」の方向は、図４の状態に遊技機枠１を置いて図４の紙面の表側から見た場合に特定される方向である。
【０００７】
図４を参照し、パチンコ遊技機について説明する。パチンコ遊技機の遊技機枠１は、遊技盤７を交換可能に入れる容器として、遊技機設置構造体に設置される。遊技機設置構造体は、遊技店のパチンコ遊技機を設置する島とも呼ばれる設備である。遊技機枠１の前部には、窓２、窓パネル３、受皿４、発射操作機構５が設けられる。遊技機枠１の内部には、発射機構６が設けられる。遊技盤７の前面には、ガイドレール８、発射通路９、アウト口１０、一般入賞部品１１、始動部品１２、上可変入賞部品１３、下可変入賞部品１４、図外の遊技釘などが設けられる。上可変入賞部品１３は、センター役物とも呼ばれ、仕切壁１５と開閉体１６と球検出器１７および回転振分装置１８などを備える。回転振分装置１８については、図１および図２で詳述する。下可変入賞部品１４は、アタッカーとも呼ばれ、開閉体１９を備える。遊技盤７が遊技機枠１の内部に装着された場合、遊技領域２０が発射機構６から発射された球の飛び交う領域として窓パネル３と遊技盤７の前面との間におけるガイドレール８で囲まれた部分として形成され、ガイドレール８、発射通路９、アウト口１０、一般入賞部品１１、始動部品１２、上可変入賞部品１３、下可変入賞部品１４、図外の遊技釘などが、遊技機枠１の前側から窓２および窓パネル３を通して視認可能になる。
【０００８】
パチンコ遊技の一例について説明すると、遊技盤７が遊技機枠１に装着され、遊技者が受皿４にパチンコ球と呼ばれる球を入れ、遊技者が発射操作機構５を操作するのに伴い、発射機構６が発射操作機構５の操作量に応じた発射力で駆動し、発射機構６が受皿４から遊技機枠１の内部に取り込まれた球を１個ずつ発射通路９に向けて発射する。発射通路９に発射された球は、発射通路９から遊技領域２０の上部に到達する。遊技領域２０に到達した球が、遊技領域２０を流下する過程において、一般入賞部品１１や始動部品１２の何れか１つに入賞するごとに、図外の球検出器が入賞信号を図外の制御装置に出力し、図外の制御装置が図外の球払出機構を制御し、球払出機構が賞球としての球を受皿４に払い出す。開閉体１６；１９が閉じた状態において、遊技領域２０に到達した球が始動部品１２に入賞すると、図外の球検出器が制御装置に出力し、制御装置が上可変入賞部品１３の開閉体１６を開閉する駆動源や回転振分装置１８の駆動源を制御し、開閉体１６が開閉する。開閉体１６が開いた状態において、遊技領域２０を流下する球が、上可変入賞部品１３に入賞すると、入賞するごとに、球検出器１７が入賞信号を制御装置に出力し、制御装置が球払出機構を制御し、球払出機構が賞球としての球を受皿４に払い出す。
【０００９】
上可変入賞部品１３に入賞した球が回転振分装置１８で外れ球として振り分けられた場合、大当たり遊技とならない。上可変入賞部品１３に入賞した球が当たり球として振り分けられると、図外の球検出器が当たり領域信号を制御装置に出力し、制御装置が下可変入賞部品１４の開閉体１９の開閉する大当たり遊技を開始する。大当たり遊技は、開閉体１９の開閉の開始からの経過時間がラウンド規定時間に到達するかまたは下可変入賞部品１４への球の入賞個数が入賞規定個数に到達するかのいずれか１つが成立したら開閉体１９を閉じて１ラウンドを終了し、開閉体１９の開閉を再開し、最大ラウンド数まで繰り返される遊技形態である。一般入賞部品１１、始動部品１２、上可変入賞部品１３、下可変入賞部品１４の何れかに入賞した球は、遊技盤７の後側に排出される。一般入賞部品１１や始動部品１２、上可変入賞部品１３、下可変入賞部品１４のいずれにも入らないで、遊技領域２０の最下部に到達した球は、アウト口１０から遊技盤７の後側に排出される。
【００１０】
図２を参照し、上可変入賞部品１３に組み込まれた回転振分装置１８について説明する。回転振分装置１８は、筐体２１および回転盤２２を備える。筐体２１は、上可変入賞部品１３の仕切壁１５で囲まれた前方に開放した奥行の有る空間の底部を構成する。筐体２１には、収容部２３、軸受部２４、誘導通路２５、通路壁２６、開口部２７、斜面部２８、通路出口２９、当たり領域３０、外れ領域３１などが設けられる。収容部２３は、回転盤２２を遊技盤７（図４参照）の前面と交差する水平面内で回転し得るように収容するものであって、上方に開口し、上面から下方に窪む、軸受部２４を中心とする平面視円形な凹部である。軸受部２４は、回転盤２２の軸を回転可能に支持するように収容部２３の底部に設けられる。誘導通路２５は、上方から誘導通路２５の上に排出された球を通路出口２９に誘導するように収容部２３の周囲に設けられた、上方に開口した平面視円形な溝を構成する。誘導通路２５と収容部２３とを仕切る通路壁２６の通路出口２９と対応する部分には、開口部２７が設けられる。開口部２７の上部は、斜面部２８として構成される。通路出口２９は、誘導通路２５の前部に到達した球を前側から収容部２３の方向に誘導する斜面を構成する。当たり領域３０は、球を通路壁２６の一部から誘導通路２５の下部の方向に誘導する通路を構成する。外れ領域３１は、球を収容部の底面の一部から下方に誘導する通路を構成する。
【００１１】
回転盤２２は、収容部２３に回転可能に収容される円盤を構成する。回転盤２２には、軸３３と当たり球受部３４と外れ球受部３５およびフィギュア３６などが設けられる。軸３３は、回転盤２２の中心部から下方に突出する。当たり球受部３４は、回転盤２２の周縁部に設けられ、回転盤２２の直径方向外側と上方とに開口し、回転盤２２の下方に閉じられ、１個の球を受け取れるものの、複数の球を同時に受け取れない、有底形状として構成される。当たり球受部３４の球を接触させる底面は、回転盤２２の直径方向外側への下り勾配に構成される。外れ球受部３５は、回転盤２２の周縁部に設けられ、回転盤２２の直径方向外側と上下方向とに開口し、１個の球を受け取れるものの、複数の球を同時に受け取れない、貫通形状として構成される。最良の形態では、当たり球受部３４が回転盤２２の直径線上に２個配置され、外れ球受部３５が２つの当たり球受部３４の間に３個配置される。フィギュア３６は、回転盤２２の上面から上方に突出し、かつ、回転盤２２の上面に固定される。
【００１２】
筐体２１の前部に設けられたフランジ部３８は、上可変入賞部品１３を図４の遊技盤７に取り付けるための部分である。そして、筐体２１が遊技盤７に形成された図外の部品逃避孔に遊技盤７の前方から挿入されることによって、フランジ部３８が遊技盤７の前面に接触されて部品逃避孔を塞ぐ。フランジ部３８には、取付孔３９が設けられる。そして、図外のねじ釘が上可変入賞部品１３の前方から取付孔３９を経由して遊技盤７に締結されることによって、上可変入賞部品１３が図４に示すように遊技盤７に取り付けられる。
【００１３】
図３を参照し、筐体２１および回転盤２２における高さＨ１乃至Ｈ３について説明する。図３のａ図において、通路出口２９の底面からの筐体２１における開口部２７の周りの通路壁２６の高さＨ１、通路出口２９の底面からの回転盤２２における当たり球受部３４の周りの高さＨ２、通路出口２９の底面からの回転盤２２における外れ球受部３５の周りの高さＨ３は、通路出口２９の底面からの球Ｐの直径Ｄの１／２未満乃至零以外の寸法に設定される（Ｈ１＞Ｄ／２、Ｈ２＞Ｄ／２、Ｈ３＞Ｄ／２）。
【００１４】
図３のｂ図に示すように、筐体２１および回転盤２２が互いに組み合わされた場合において、高さＨ２は、回転盤２２における当たり球受部３４の周りの周縁部が通路出口２９から収容部２３の側に移動する球Ｐを受け止め得る寸法に設定される。図３のｃ図に示すように、筐体２１および回転盤２２が互いに組み合わされた場合において、高さＨ３は、回転盤２２における外れ球受部３５の周りの周縁部が通路出口２９から収容部２３の側に移動する球Ｐを受け止め得る寸法に設定される。
【００１５】
図１を参照し、回転振分装置１８の動作について説明する。図１のａ図において、回転盤２２が図外のモータによって遊技盤７（図４参照）の前面と交差する水平面内で回転した状態において、球Ｐ（図１のｂ図参照）が筐体２１の誘導通路２５から通路出口２９を経由して回転盤２２の当たり球受部３４または外れ球受部３５に振り分けられる。球Ｐが通路出口２９から当たり球受部３４に振り分けられて取り込まれた場合、当該球Ｐは、当たり球受部３４の上に載って、回転盤２２の回転に伴い、回転盤２２の回転方向に移動する。そして、当たり球受部３４が筐体２１の当たり領域３０と対応すると、球が当たり球受部３４から当たり領域３０に取り込まれて図４の遊技盤７の後側に排出される。球Ｐが通路出口２９から外れ球受部３５に振り分けられて取り込まれた場合、当該球Ｐは、外れ球受部３５の中で筐体２１の収容部２３の底面の上に載って、回転盤２２の回転に伴い、回転盤２２の回転方向に移動する。そして、外れ球受部３５が筐体２１の外れ領域３１と対応すると、球が外れ球受部３５から外れ領域３１に取り込まれて図４の遊技盤７の後側に排出される。なお、図４の遊技機枠１に設けられた図外の電源スイッチがオンされてからオフされるまでの間、回転盤２２が回転し続けるように、回転盤２２を動かすモータは動作し続けるように制御される。
【００１６】
図１のｂ図に示すように、高さＨ１乃至高さＨ３が球の直径Ｄの１／２未満乃至零以外の寸法に設定される（Ｈ１＞Ｄ／２、Ｈ２＞Ｄ／２、Ｈ３＞Ｄ／２）に構成されているので、回転盤２２が矢印Ｘ１で示す方向に回転している最中において、球が通路出口２９から当たり球受部３４または外れ球受部３５に移動する場合（図１のｂ図では球が図１のｂ図の紙面の表側から裏側へと移動する場合）に、球Ｐが筐体２１における左側の開口部２７と回転中の回転盤２２における当たり球受部３４または外れ球受部３５の周りの左側の部分とで挟まれるような格好になったとしても、回転盤２２における当たり球受部３４または外れ球受部３５の周りの左側の部分で矢印Ｘ１で示す方向に押された球Ｐが筐体２１における左側の開口部２７を斜面部２８の方に乗り上げるか、または、筐体２１における左側の開口部２７で支えられた球Ｐが矢印Ｘ１で示す方向に回転する回転盤２２における当たり球受部３４または外れ球受部３５の周りの左側の部分を上方に乗り上げることになるから、当該球Ｐが筐体２１と回転盤２２とに挟まれることはないという利点がある。よって、回転振分装置１８が遊技者に不快感を与えることはなく、モータに悪影響を及ぼすこともない。開口部２７の上部が斜面部２８として構成されたので、回転盤２２における当たり球受部３４または外れ球受部３５の周りの左側の部分で回転盤２２の矢印Ｘ１で示す回転方向に押された球Ｐが筐体２１における左側の開口部２７を斜面部２８の方に乗り上げやすいという利点がある。
【産業上の利用可能性】
【００１７】
図１において、斜面部２８は設けられなくてもよい。
【図面の簡単な説明】
【００１８】
【図１】ａ図は回転振分装置の組立斜視図、ｂ図は図１のａ図を矢印Ａ方向から見た正面図（最良の形態）。
【図２】回転振分装置の分解斜視図（最良の形態）。
【図３】ａ図は図２のａ図の矢印Ａ方向からの高さと球との寸法を示す展開図、ｂ図は筐体の通路出口と回転盤の当たり領域の周りと球との関係を示す回転盤の直径方向の断面図、ｃ図は筐体の通路出口と回転盤の外れ球受部の周りと球との関係を示す回転盤の直径方向の断面図（最良の形態）。
【図４】パチンコ遊技機の正面図（最良の形態）。
【図５】ａ図は回転振分装置の組立斜視図、ｂ図は図５のａ図を矢印Ａ方向から見た正面図（従来）。
【符号の説明】
【００１９】
１は遊技機枠、２は窓、３は窓パネル、４は受皿、５は発射操作機構、６は発射機構、７は遊技盤、８はガイドレール、９は発射通路、１０はアウト口、１１は一般入賞部品、１２は始動部品、１３は上可変入賞部品、１４は下可変入賞部品、１５は仕切壁、１６は開閉体、１７は球検出器、１８は回転振分装置、１９は開閉体、２０は遊技領域、２１は筐体、２２は回転盤、２３は収容部、２４は軸受部、２５は誘導通路、２６は通路壁、２７は開口部、２８は斜面部、２９は通路出口、３０は当たり領域、３１は外れ領域、３２は欠番、３３は軸、３４は当たり球受部、３５は外れ球受部、３６はフィギュア、３８はフランジ部、３９は取付孔。
【図１】
2009028127.tif 000003
【図２】
2009028127.tif 000004
【図３】
2009028127.tif 000005
【図４】
2009028127.tif 000006
【図５】
2009028127.tif 000007